(57)【要約】【課題】コジェネシステム用のリモコンは、給湯専用のリモコンと比べて表示が煩雑でわかりにくい。特に、給湯専用のリモコンには存在しなかった発電に関する情報についてより視認性を向上させなれば使用者にとって給湯器との違いを実感しずらい。【解決手段】発電機１、及び該発電機１から回収した熱を温水として貯える貯湯器２を備えるコージェネレーションシステムの運転に関する設定または指示入力と、運転に関する情報の表示とが可能なリモコン装置であって、発電に関する情報を画面に表示させる第１の情報表示器１２と、発電以外の運転に関する所定の情報を画面に表示させる第２の情報表示器１３と、制御器１６とを備え、制御器１６は、第２の情報表示器１３が発電以外の運転に関する情報を表示してから所定時間経過後、第１の情報表示器１２により発電に関する情報が画面に表示されるよう制御する。【選択図】図１
2008089249.tif 000002
【特許請求の範囲】
【請求項１】
発電機、及び該発電機から回収した熱を温水として貯える貯湯器を備えるコージェネレーションシステムの運転に関する設定または指示入力と、運転に関する情報の表示とが可能なリモコン装置であって、前記発電に関する情報を画面に表示させる第１の情報表示器と、前記発電以外の運転に関する所定の情報を画面に表示させる第２の情報表示器と、制御器とを備え、前記制御器は、前記第２の情報表示器が前記発電以外の運転に関する情報を表示してから所定時間経過後、前記第１の情報表示器により前記発電に関する情報が画面に表示されるよう制御するリモコン装置。
【請求項２】
前記第１の情報表示器は、前記発電機の発電状態に関する情報を画面に表示させることを特徴とする請求項１記載のリモコン装置。
【請求項３】
前記第２の情報表示器は、給湯に関する情報を画面に表示させることを特徴とする請求項１記載のリモコン装置。
【請求項４】
前記第２の情報表示器は、貯湯に関する情報を画面に表示させることを特徴とする請求項１記載のリモコン装置。
【請求項５】
前記第２の情報表示器は、エネルギーコスト削減量に関する情報を画面に表示させることを特徴とする請求項１記載のリモコン装置。
【請求項６】
使用者からの入力を検知する入力検知器を備え、前記制御器は、前記入力検知器で検知される入力信号に基づいて前記第１の情報表示器または前記第２の情報表示器により画面に情報を表示させるとともに、前記第２の情報表示器による情報表示を必要とする前記入力信号の入力頻度に応じて前記所定時間を設定することを特徴とする請求項１記載のリモコン装置。
【請求項７】
前記制御器は、前記第１の情報表示器による情報表示を必要とする前記入力信号の入力頻度も考慮して、前記所定時間を設定することを特徴とする請求項６記載のリモコン装置。
【請求項８】
前記第１の情報表示器は、前記発電の状態を動画で画面に表示させることを特徴とする請求項１記載のリモコンコージェネレーションシステム。
【請求項９】
前記第１の情報表示器は、前記発電機の発電量に応じて動画の速度を変化させる事を特徴とする請求項８記載のリモコンコージェネレーションシステム。
【請求項１０】
請求項１〜９のいずれかの記載のリモコン装置と、発電機と、該発電機から回収した熱を温水として貯える貯湯器とを備えるコジェネレーションシステム。
【発明の詳細な説明】
【技術分野】
【０００１】
本発明は、燃料電池等の発電機を備えるコージェネレーションシステムを操作するリモコン装置及びこれを備えるコージェネレーションシステムに関する。
【背景技術】
【０００２】
コージェネレーションシステムは、都市ガスや水素などの原料から燃料電池や内燃機関を用いて電力を取り出す装置だが、いっぽうで発電の際に発生した排熱を温水として貯湯器に回収して家庭内の給湯に利用している。そのため、これらを制御するリモコン装置は、通常、発電機による発電と貯湯器からの給湯の両方に対してリモコン機能を有している。
【０００３】
従って、発電、及び給湯あるいは貯湯に関する情報を一度で判別できるよう、これらの情報をリモコン装置の画面にまとめて表示させることが提案されている（例えば、特許文献１及び特許文献２参照）。
【特許文献１】特開２００３−２２９１５９号公報
【特許文献２】特開２００４−７９４５４号公報
【発明の開示】
【発明が解決しようとする課題】
【０００４】
上記特許文献に記載のコージェネレーションシステム用のリモコン装置のように、発電、及び給湯あるいは貯湯に関する情報についてまとめて表示させると表示が煩雑となり、給湯専用のリモコンと比べてわかりにくいという課題があった。特に、コージェネレーションシステム用のリモコン装置においてこれまでの給湯専用のリモコン装置には存在しなかった発電に関する情報についてより視認性を向上させなれば使用者にとって給湯器との違いを実感しずらいという課題があった。
【０００５】
本発明は、上記従来の課題を解決するもので、表示が煩雑でなく、発電に関する情報の表示について視認性の高いコージェネレーションシステム用のリモコン装置及びこれを備えるコージェネレーションシステムを提供することを目的とする。
【課題を解決するための手段】
【０００６】
上記課題を解決するため第１の本発明のリモコン装置は、発電機、及び該発電機から回収した熱を温水として貯える貯湯器を備えるコージェネレーションシステムの運転に関する設定または指示入力と、運転に関する情報の表示とが可能なリモコン装置であって、前記発電に関する情報を画面に表示させる第１の情報表示器と、前記発電以外の運転に関する所定の情報を画面に表示させる第２の情報表示器と、制御器とを備え、前記制御器は、前記第２の情報表示器が前記発電以外の運転に関する情報を表示してから所定時間経過後、前記第１の情報表示器により前記発電に関する情報が画面に表示されるよう制御する。
【０００７】
かかる構成によれば、発電に関する情報と発電以外の運転に関する所定の情報の表示が分けられるとともに、発電以外の運転に関する情報（例えば、給湯に関する情報）の表示を必要とするリモコン操作が行われなくなって所定時間以上経過したら、自動的に発電に関する情報の表示に切り替えるよう構成されている。従って、リモコン装置の表示が煩雑でなくなるだけでなく、給湯器のリモコン操作は、入浴準備など一時に限定されるため、その操作が完了した後、自動的に発電に関する情報を表示され、発電に関する情報の視認性が特に向上する。
【０００８】
また、第２の本発明のリモコン装置は、前記第２の情報表示器が、前記発電機の発電状態に関する情報を画面に表示させることを特徴とする。
【０００９】
また、第３の本発明のリモコン装置は、前記第２の情報表示器は、給湯に関する情報を画面に表示させることを特徴とする。
【００１０】
また、第４の本発明のリモコン装置は、前記第２の情報表示器は、貯湯に関する情報を画面に表示させることを特徴とする。
【００１１】
また、第５の本発明のリモコン装置は、前記第２の情報表示器は、エネルギーコスト削減量に関する情報を画面に表示させることを特徴とする。
【００１２】
また、第６の本発明のリモコン装置は、使用者からの入力を検知する入力検知器を備え、前記制御器は、前記入力検知器で検知される入力信号に応じて前記第１の情報表示器または前記第２の情報表示器により画面に情報を表示させるとともに、前記第２の情報表示器による情報表示を必要とする前記入力信号の入力頻度に応じて前記所定時間を設定することを特徴とする。
【００１３】
かかる構成によれば、発電以外の運転に関する情報の表示が必要となる使用者の操作の頻度に基づき自動的に発電に関する情報の表示に切り替わるまでの所定時間を設定できるので、例えば、給湯に関する操作頻度多い使用者が継続して操作しようとしたとき、不意に発電に関する表示に切り替わってしまう事がない。
【００１４】
また、第７の本発明のリモコン装置は、前記制御器が、前記第１の情報表示器による情報表示を必要とする前記入力信号の入力頻度も考慮して、前記所定時間を設定することを特徴とする。
【００１５】
かかる構成によれば、発電に関する情報の表示が必要となる操作頻度と発電以外の情報の表示が必要となる操作頻度のどちらの頻度が高いかという実態に応じて発電に関する情報の表示に切り替わるまでの最適な所定時間を設定できるので、例えば、ある使用者にとって給湯に関する操作頻度のほうが多い場合は給湯に関する情報を画面に表示させる時間が中心となり、あまり発電に関する情報の表示を必要とする操作を行わず給湯に関する情報の表示が必要な操作が多い人にとっても利便性が損なわれる事がない。
【００１６】
また、第８の本発明のリモコン装置は、前記第１の情報表示器は、前記発電の状態を動画で画面に表示させることを特徴とする。
【００１７】
かかる構成によれば、給湯に関する情報の表示と異なり操作したとき以外にも「なにげなく見る」機会が増え、発電状態に関する視認性が向上する。
【００１８】
また、第９の本発明のリモコン装置は、前記第１の情報表示器は、前記発電機の発電量に応じて動画の速度を変化させる事を特徴とする。
【００１９】
かかる構成によれば、例えば発電状態をアニメーション化して表示した場合、発電電力量に比例してアニメーションが高速で激しく動作する事により、使用者に対して発電量の増減について直感的にわかり易く伝えることが可能となる。
【００２０】
また、第１０の本発明のコージェネレーションシステムは、上記本発明のリモコン装置と、発電機と、該発電機から回収した熱を温水として貯える貯湯器とを備える。
【発明の効果】
【００２１】
本発明のリモコン装置によれば発電に関する情報及び発電以外の運転の情報（例えば、貯湯または給湯）の表示が煩雑でなくなり、特に、発電に関する情報の表示について視認性を向上することができる。
【発明を実施するための最良の形態】
【００２２】
以下、本発明の実施の形態を、図面を参照して説明する。
【００２３】
（実施の形態１）
図１は、本発明の第１の実施の形態のリモコン装置及びこれを備えるコージェネレーションシステムのブロック構成図である。図１において、１は燃料電池、ガスエンジン等に例示される発電機であり、２は発電機から回収した熱を温水として貯える貯湯器である。３は、発電機を冷却するための冷却水が流れる冷却水循環経路であり、４は、貯湯器２内の貯湯水を下部より取り出し熱交換器５を介して冷却水循環経路３内の冷却水と熱交換した後、貯湯器２の上部に戻すための貯湯水循環経路である。６は、発電機１から直流電流を取り出し交流に変換するための発電量制御器であり、７は貯湯器２内の貯湯水の温度を測定するための温度検知器であり貯湯器内の貯湯水の上層から下層までの温度が検知可能なように所定の箇所に複数設置される。８は、風呂、床暖房等に例示される熱負荷に貯湯器より温水を供給するための温水供給器であり、本実施の形態においては電磁弁を使用した。９は、本実施の形態のコージェネレーションシステム全体を制御するための中央制御装置であり、本装置は、発電量制御器６に発電機１より取り出す電力量に関する指令を出し、発電機１の発電量を制御したり、後述するリモコン装置により使用者が設定した給湯時刻になると、あるいは使用者がリモコン装置を操作して給湯の要求指令を出すと、温水供給器８を制御し、熱負荷に貯湯器内の温水を供給させる。また、発電量制御器６に指令した発電量に関するデータや温度検知器７により検知された温度及び本温度に基づき中央制御装置９が算定した貯湯量等のデータを内蔵する記憶器（図示せず）に記憶させている。
【００２４】
次に、本実施の形態のリモコン装置１０について説明する。
【００２５】
１１は、種々の情報を表示させるための画面であり、１２は、発電に関する情報を画面１１に表示させるための第１の情報表示器であり、１３は、発電以外の運転に関する情報を画面１１に表示させるための第２の情報表示器ある。１４は、発電に関する設定、発電指示または発電に関する情報の表示指令に関する使用者の入力を検知する第１の入力検知器であり、１５は、発電以外の運転に関する設定（例えば、給湯時刻設定）、発電以外の運転に関する指示（例えば、給湯指令）または発電以外の運転に関する情報（例えば、貯湯量や給湯予定時刻）の表示指令に関する使用者の入力を検知する第２の入力検知器である。１６は、本発明の制御器であるリモコン制御器であり、本発明の入力検知器に相当する上記第１の入力検知器４１もしくは第２の入力検知器１５で検知された入力信号に基づき、上記いずれの情報表示器により画面に情報を表示させるべきか判断し、この判断に基づきそれぞれの情報表示器により画面に情報を表示させる。
【００２６】
次に、本実施の形態のリモコン装置１０の動作について、説明する。
【００２７】
まず、第１の入力検知器１４により使用者からの入力が検知されるとリモコン制御器１６は、第１の情報表示器１４に入力信号に応じた情報を画面１１に表示させるよう指令する。第１の情報表示器１４はリモコン制御器１６より指令を受けると、発電に関する情報を画面１１に表示させる。一例としては、図２に示すような現在の発電機の運転状態（「運転中」）、運転時の発電量（５００Ｗ）、予め設定されている発電予定時刻（１０：３０）、発電モード（自動）等が表示される。なお、上記発電に関するデータは、発電機１または発電量制御器６に発電に関する指令を実行している中央制御装置９から発電に関するデータをリモコン制御器１６が読み出し、本データをリモコン制御器１６が、第１の情報表示器１２に表示指令と共に送信することで第１の情報表示器１２が各種データを画面１１に表示させる。なお、第１の情報表示器１２が画面１１に表示させる発電に関する情報としては、図２はあくまで一例であり、発電機の運転状態のみが表示されてもよいし、また上記に図２に記載されていない情報であっても発電に関係する情報（例えば、発電量の経時変化データ）であれば構わない。
【００２８】
次に、第２の入力検知器１５により使用者からの入力が検知されるとリモコン制御器１６は、第２の情報表示器１３に入力信号に応じた情報を画面１１に表示させるよう指令する。第２の情報表示器１３はリモコン制御器１６より指令を受けると、発電以外の運転に関する情報を画面１１に表示させる。一例としては、図３に示すように貯湯に関する情報（貯湯量）、及び給湯に関する情報（給湯設定温度、風呂予約、風呂への湯張り量、床暖房のＯＮ／ＯＦＦの予定時刻）等が表示されている。なお、上記発電以外の運転に関するデータは、例えば、貯湯量の場合、中央制御装置９内部の記憶器に保持された貯湯量に関するデータをリモコン制御器１６が読み出し、本データをリモコン制御器１６が、第２の情報表示器１３に表示指令と共に送信することで第２の情報表示器１３が貯湯量に関するデータを画面１１に表示させる。なお、第２の情報表示器１３が画面１１に表示させる発電以外の運転に関する情報としては、図３はあくまで一例であり、貯湯に関するデータ（例えば、貯湯量）のみが表示されてもよいし、また、図３に記載されていない情報であっても発電以外の運転に関係する情報（例えば、コジェネシステムの利用に伴うエネルギーコスト削減量を示すデータ）であれば構わない。
【００２９】
以上のように第１の情報表示器１２及び第２の情報表示器１３によりそれぞれ発電に関する情報と、発電以外の運転に関する情報を分けて画面１１に表示させるようにすることで、画面１１に表示される情報が煩雑でなくなり、画面１１に表示される情報の視認性が向上する。
【００３０】
次に、本実施の形態のリモコン装置１０は、上記のように第２の入力検知器１５により使用者からの入力が検知された後、第２の情報表示器１３により画面１１に発電以外の情報が表示されてから所定時間が経過すると、リモコン制御器１６が第１の情報表示器１２により画面１１に図２に示されるような発電に関する情報を表示させるよう制御する。
【００３１】
これにより、使用者が第２の情報表示器１３による発電以外の運転に関する情報の表示が必要となる操作を実行している時は、使用者の操作（入力検知器により検知される入力信号）に対応する発電以外の運転に関する情報が表示されるが、本操作を終了し、所定時間が経過すると自動的に第１の情報表示器１２により発電に関する情報が画面１１に表示されているため、リモコン装置を操作しない生活シーンにおいて使用者がリモコン装置１０を何気なく見ると発電に関する情報が画面１１に表示されているため、発電に関する情報の視認性が向上する。
【００３２】
なお、第２の情報表示器１３により画面１１により発電以外の運転に関する情報が表示されてから第１の情報表示器１２により画面１１に発電に関する情報を画面１１に表示させるよう切換えるまでの間の上記所定時間は、発電以外の運転に関する情報の表示が必要となる使用者の操作の頻度（例えば、第２の入力検知器１５による一日あたりの入力検知頻度）に基づき設定されることが好ましい。これにより、例えば、給湯に関する情報の表示が必要な操作頻度の多い使用者が継続して操作しようとしたとき、不意に発電に関する表示に切り替わってしまう事がなくなり、使用者の傾向に適切に対応することが可能になる。
【００３３】
さらに、上述の発電以外の運転に関する情報の表示が必要となる使用者の操作の頻度だけでなく第１の情報表示器による発電に関する情報の表示が必要となる使用者の操作の頻度（例えば、第１の入力検知器１４による一日あたりの入力検知頻度）も考慮して、上記所定時間を設定することが好ましい。これにより、発電に関する情報の表示が必要となる操作頻度と発電以外の情報の表示が必要となる操作頻度のどちらの頻度が高いかという実態に応じて発電に関する情報の表示に切り替わるまでの最適な所定時間を設定できるので、例えば、ある使用者にとって給湯に関する操作頻度のほうが多い場合は、給湯に関する情報を画面に表示させる時間が中心となり、あまり発電に関する情報の表示を必要とする操作を行わず給湯に関する情報の表示が必要な操作が多い人にとっても利便性が損なわれる事がない。
【００３４】
（実施の形態２）
次に、本発明の第２の実施形態におけるリモコン装置１０について説明する。
【００３５】
なお、上記実施の形態１のリモコン装置１０と構成及び動作について同一の部分については説明を省略し、実施の形態１のリモコン装置１０と異なる箇所についてのみ説明する。
【００３６】
本実施の形態におけるリモコン装置１０は、第１の情報表示器１２が、発電機１の発電状態を表示させる際に動画を用いることを特徴とする。一例としては、図４に示すように、発電機１の発電状態を人が走っている動画で表すような構成が挙げられる。これにより、動きのない文字や絵よりも遠くからでも認識しやすく、給湯に関する情報の表示と異なり操作したとき以外にも「なにげなく見る」機会が増え、発電状態に関する視認性が向上する。
【００３７】
さらに、上記のような動画により発電状態を表す再に、発電量に比例して動画の速度を速くすることが好ましい。例えば、図４に示されるような、人が走っている動画で発電状態を表現している際には、走る速度を早くすることで発電量の上昇が表現される。これにより、使用者に対して発電量の増減について直感的に分かり易く伝えることが可能になる。
【産業上の利用可能性】
【００３８】
本発明にかかるリモコン装置は、発電に関する情報及び発電以外の運転の情報（例えば、貯湯または給湯）の表示が煩雑でなくなり、特に、発電に関する情報の表示について視認性を向上することができるのでコジェネレーションシステム用のリモコン装置として好適である。
【図面の簡単な説明】
【００３９】
【図１】本発明の実施の形態１におけるコージェネレーションシステムのシステム構成図
【図２】本発明の第１の実施形態におけるリモコン装置の発電に関する情報の表示の一例を示す図
【図３】本発明の第１の実施形態における発電以外の運転に関する情報の表示の一例を示す図
【図４】本発明の第２の実施の形態におけるリモコン装置の発電状態の表示の一例を示す図
【符号の説明】
【００４０】
１    発電機
２    貯湯器
３    冷却水循環経路
４    貯湯水循環経路
５    熱交換器
６    発電量制御器
７    温度検知器
８    温水供給器
９    中央制御装置
１０    リモコン装置
１１    画面
１２    第１の情報表示器
１３    第２の情報表示器
１４    第１の入力検知器
１５    第２の入力検知器
１６    リモコン制御器
【図１】
2008089249.tif 000003
【図２】
2008089249.tif 000004
【図３】
2008089249.tif 000005
【図４】
2008089249.tif 000006